(57)【要約】【課題】適切にガス遮断弁のモータ駆動を制御するガス遮断装置を提供すること。【解決手段】モータ駆動により開閉されるガス遮断弁１と、ガス遮断弁１の開閉作動を判断する保安ロジック判定部２と、保安ロジック判定部２の暴走を監視するウォッチドッグ３と、ウォッチドッグ３の出力と保安ロジック判定部２の出力によりガス遮断弁１の開閉のモータ駆動を判断するモータ駆動判定部４から構成され、モータ駆動判定部４が保安ロジック判定部２の出力とウォッチドッグ３の出力の優先判断をした上で、適切かつ安全にガス遮断弁１を開閉する。【選択図】図１
2005207852.tif 000002
【特許請求の範囲】
【請求項１】
モータ駆動により開閉されるガス遮断弁と、前記ガス遮断弁の開閉作動を判断する保安ロジック判定部と、前記保安ロジック判定部の暴走を監視するウォッチドッグと、前記ウォッチドッグの出力と前記保安ロジック判定部の出力により前記ガス遮断弁の開閉を判断し、前記モータを駆動するモータ駆動判定部とを有するガス遮断装置。
【請求項２】
モータ駆動判定部は、ウォッチドッグの出力を最優先に判定してガス遮断弁をモータ駆動する請求項１記載のガス遮断装置。
【請求項３】
モータ駆動判定部は、ウォッチドッグの出力が途中で停止してもガス遮断弁のモータ駆動を所定時間保持する請求項１記載のガス遮断装置。
【請求項４】
モータ駆動判定部は、ウォッチドッグの出力を受けてガス遮断弁を閉止した後、以降のモータ駆動を行わないように構成した請求項１記載のガス遮断装置。
【請求項５】
モータ駆動部は、ガス遮断弁を閉止する為のモータの駆動信号を出力する駆動ロジック回路を有し、モータ駆動判定部は、ウォッチドッグの出力を受けて前記駆動ロジック回路を起動する請求項１記載のガス遮断装置。
【発明の詳細な説明】
【技術分野】
【０００１】
本発明は、ガス使用時にガスメータより後流の、ガス使用上の安全を図るガス保安メーターに内蔵されるガス遮断装置に関するものである。
【背景技術】
【０００２】
従来、この種のガス遮断装置は図３のブロック図に示すように、保安ロジック判定部２とウォッチドッグ３の出力によりモータ駆動部５がガス遮断弁１のモータ駆動を行なっていた（例えば、特許文献１参照）。
【特許文献１】特開平１０−１９６３０号公報
【発明の開示】
【発明が解決しようとする課題】
【０００３】
しかしながら、前記従来のガス遮断装置は、保安ロジック判定部２（マイクロコンピュータ）の出力とウォッチドッグ３の出力が、それぞれ独立制御のＯＲ回路としてモータ駆動部５を動かすため、２つが相反する動きをガス遮断弁にかける可能性があった。つまり通常は保安ロジック判定部の出力そのままにガス遮断弁のモータを駆動し、ガス遮断弁の開閉制御を行う。万が一に保安ロジック判定部が、何らかの理由で暴走状態になった場合にのみ、ウォッチドッグがガス遮断弁を閉止するようにモータを制御する出力を行う。しかしながら、この場合にも暴走状態の保安ロジック判定部からガス遮断弁のモータ制御出力は続いており、ウオッチドッグの遮断出力と相反する制御を行う可能性もある。モータで駆動される遮断弁の場合は、人為的な復帰によらずとも再度開弁する可能性があった。
【０００４】
本発明は、前記従来の課題を解決するもので、モータ駆動判定部が保安ロジックの出力とウォッチドッグの出力の優先判断をした上で、適切にガス遮断弁を開閉する、より安全なガス遮断装置を提供することを目的とする。
【課題を解決するための手段】
【０００５】
前記従来の課題を解決するために、本発明のガス遮断装置は、モータ駆動により開閉されるガス遮断弁と、ガス遮断弁の開閉作動を判断する保安ロジック判定部と、保安ロジック判定部の暴走を監視するウォッチドッグと、ウォッチドッグの出力と保安ロジック判定部の出力によりガス遮断弁の開閉のモータ駆動を判断するモータ駆動判定部とで構成されたものである。
【発明の効果】
【０００６】
本発明によれば、ガス遮断装置によれば、保安ロジック判定部の出力とウォッチドッグの出力の整合性を判断しながら、適切にガス遮断弁のモータ駆動を制御する、より安全なガス遮断装置を提供することができる。
【発明を実施するための最良の形態】
【０００７】
第１の発明は、モータ駆動により開閉されるガス遮断弁と、ガス遮断弁の開閉作動を判断する保安ロジック判定部と、保安ロジック判定部の暴走を監視するウォッチドッグと、ウォッチドッグの出力と保安ロジック判定部の出力によりガス遮断弁の開閉のモータ駆動を判断するモータ駆動判定部とで構成されたものであり、モータ駆動判定部が保安ロジックの出力とウォッチドッグの出力の優先判断をした上で、適切にガス遮断弁を開閉することができる。
【０００８】
第２の発明は、モータ駆動判定部を、ウォッチドッグの出力を最優先に判定してガス遮断弁をモータ駆動するように構成したものであり、万が一に保安ロジック判定部が暴走して不安全な出力状態になっても、ウォッチドッグの出力でガス遮断弁の状態をコントロールすることができる。
【０００９】
第３の発明は、モータ駆動判定部を、ウォッチドッグの出力が途中で停止してもガス遮断弁のモータ駆動を所定時間保持するように構成したものであり、一旦ウオッチドッグの出力を受け付けるとガス遮断弁が完全に閉止できるまでモータ駆動を継続することができる。
【００１０】
第４の発明は、モータ駆動判定部を、ウォッチドッグの出力を受けてガス遮断弁をモータ駆動した後は、以降のモータ駆動を受け付けないように構成したものであり、ウォッチドッグの出力により安全な状態でガス遮断弁を閉止した後、暴走状態の保安ロジック判定部が再度ガス遮断弁を開ける出力を行っても、ガス遮断弁の駆動をロックすることができるものである。
【００１１】
第５の発明は、モータ駆動部がガス遮断弁を閉止する為のモータの駆動信号を出力するロジック回路を有し、モータ駆動判定部は、ウォッチドッグの出力を受けて前記ロジック回路を起動するように構成したものであり、通常はモータ駆動部以外からの駆動信号によりモータを駆動することで遮断弁を開閉し、保安ロジック判定部が暴走して不安定な出力となった場合のみモータ駆動判定部の駆動ロジック回路を動かすことで、ガス遮断装置の常時の消費電流を抑制するものである。
【００１２】
以下、本発明の実施の形態について、図面を参照しながら説明する。なお、この実施の形態によって本発明が限定されるものではない。
【００１３】
（実施の形態１）
図１は本発明の実施例のガス遮断装置のブロック図である。
【００１４】
図１において、１はモータ駆動により開閉されるガス遮断弁、２はガス遮断弁の開閉作動を判断する保安ロジック判定部でマイクロコンピュータで構成している。３は保安ロジック判定部の暴走を監視するウォッチドッグ、５はモータ駆動部であり、ウォッチドッグ３の出力と保安ロジック判定部２の出力によりガス遮断弁１の開閉のモータ駆動を判断するモータ駆動判定部４と、ガス遮断弁の制御信号を決定する駆動ロジック回路６から構成される。
【００１５】
次に作用を説明する。
【００１６】
本発明のガス遮断装置は、万が一に暴走状態になった保安ロジックのガス遮断弁のモータ駆動の出力と、それを抑制しようとするウォッチドッグの出力が相反する場合には、ウォッチドッグの出力を優先するようにモータ駆動判定部が適切にガス遮断弁のモータ制御を行う。
【００１７】
以下、図２のフローチャートを用いて詳細な動作を説明する。
【００１８】
まず、保安ロジック判定部２が正常の場合に、保安ロジック判定部２における判定（Ｓ１０１）で保安ロジックの出力がなされた場合、ガス遮断弁１のモータへ閉じる為の駆動出力が行われる（Ｓ１０２）。もしも、保安ロジック判定部２の出力がない場合は、次に、ウォッチドッグ出力の有無をチェック（Ｓ１０３）する。ここで、保安ロジック判定部２が暴走等を起こすと、ウォッチドッグ３からウォッチドッグ出力が発生する。
【００１９】
ウォッチドッグ出力があれば以降ウォッチドッグ信号を優先するための処理を行い（Ｓ１０４）、ガス遮断弁１のモータを閉じるための出力を所定時間行う（Ｓ１０５）と共に、モータ駆動をロック（Ｓ１０６）して、ガス遮断弁１が再び開くのを防止する。
【００２０】
すなわち、ウォッチドッグ３の出力を受付けたモータ駆動判定部４は、途中でウォッチドッグ３の出力が停止しても、ガス遮断弁１が確実に閉止されるまでモータ駆動を定時間継続し、ガス遮断弁１を閉止したモータ駆動判定部４は、それ以降のモータ制御を受け付けず、安全な状態で停止保持される。
【００２１】
また、モータ駆動部５はガス遮断弁１を閉止する為のモータの駆動信号を出力する駆動ロジック回路６を有しており、保安ロジック判定部２が正常な場合は保安ロジック判定部２の信号に基づいて遮断弁のモータを駆動するが、保安ロジック判定部２が不安定になりウォッチドッグ３によりウォッチドッグ出力が行われると、モータ駆動判定部４は、ウォッチドッグ３の出力を受けて駆動ロジック回路６を起動するように構成することで、万が一保安ロジック判定部２が不安定になった場合でも、確実に遮断弁を閉止することが出来る。なお、駆動ロジック回路６は、ウォッチドッグの出力がなされた以降、有効になるようにしておけば、通常状態のガス遮断装置の消費電流を減らすことも可能となる。
【産業上の利用可能性】
【００２２】
以上のように、本発明にかかるガス遮断装置によれば、保安ロジック判定部の出力とウォッチドッグの出力の整合性を判断しながら、適切にガス遮断弁のモータ駆動を制御する、より安全なガス遮断装置を提供することができる。
【図面の簡単な説明】
【００２３】
【図１】本発明の実施例１のガス遮断装置のブロック図
【図２】本発明の実施例１のガス遮断装置のモータ駆動判定部のフローチャート
【図３】従来のガス遮断装置の一実施例を示すブロック図
【符号の説明】
【００２４】
１  ガス遮断弁
２  保安ロジック判定部
３  ウォッチドッグ
４  モータ駆動判定部
５  モータ駆動部
６  駆動ロジック回路
【図１】
2005207852.tif 000003
【図２】
2005207852.tif 000004
【図３】
2005207852.tif 000005